(57)【要約】  エネルギー管理コントローラ（２）は、需要地における複数の電力線（Ｄ１〜Ｄ４）のそれぞれにおいて、複数の機器（４，５）により測定された電力値に関する測定データを各機器（４，５）から取得する。エネルギー管理コントローラ（２）は、同一の電力線で測定された複数の電力値がある場合、当該電力線で測定された電力値として、予め各機器（４，５）に付与されている優先度に基づいて一の電力値を選択する。そして、エネルギー管理コントローラ（２）は、各電力線で測定された電力値を用いてこの需要地で消費される電力の管理を行う。また、エネルギー管理コントローラ（２）は、各電力線で測定された電力値を示す情報を予め定めた態様で操作端末（３）に表示させる。
2016016931.tif 000002
【特許請求の範囲】
【請求項１】
需要地における複数の電力線のそれぞれにおいて、１又は複数の機器により測定された電力値に関する測定データを各機器から取得し、記憶部に保存する測定電力取得手段と、
同一の電力線で測定された複数の電力値がある場合、当該電力線で測定された電力値として、前記複数の電力値から、予め各機器に付与されている優先度に基づいて一の電力値を選択する選択手段と、
各電力線で測定された電力値を用いて前記需要地で消費される電力の管理を行う電力管理手段と、
各電力線で測定された電力値を示す情報を予め定めた態様で表示装置に表示させる電力表示指示手段と、を備える、エネルギー管理コントローラ。
【請求項２】
前記優先度は、各機器の測定精度に基づいて決定され、最も測定精度が高い機器に対して最も高い優先度が付与されている、請求項１に記載のエネルギー管理コントローラ。
【請求項３】
前記優先度は、各機器における測定対象の電力線の数に基づいて決定され、最も測定対象の電力線の数が多い機器に対して最も高い優先度が付与されている、請求項１に記載のエネルギー管理コントローラ。
【請求項４】
前記優先度は、各機器における電力測定のサンプリング間隔に基づいて決定され、最も前記サンプリング間隔が短い機器に対して最も高い優先度が付与されている、請求項１に記載のエネルギー管理コントローラ。
【請求項５】
各電力線で測定された電力値の測定時刻のずれを補正する補正手段をさらに備える、請求項１から４の何れか１項に記載のエネルギー管理コントローラ。
【請求項６】
前記補正手段は、前記記憶部から予め定めた期間分の測定データを読み出し、読み出した各測定データから電力の立ち上がり時刻を検出し、検出した時刻を異なる電力線における測定データ同士で比較することで前記測定時刻のずれを補正する、請求項５に記載のエネルギー管理コントローラ。
【請求項７】
前記補正手段は、前記記憶部から予め定めた期間分の測定データを読み出し、読み出した電力線毎の複数の測定データに対して、予め定めた時間間隔での平均化処理を施すことで前記測定時刻のずれを補正する、請求項５に記載のエネルギー管理コントローラ。
【請求項８】
測定電力取得手段が、需要地における複数の電力線のそれぞれにおいて、１又は複数の機器により測定された電力値に関する測定データを各機器から取得し、
選択手段が、同一の電力線で測定された複数の電力値がある場合、当該電力線で測定された電力値として、前記複数の電力値から、予め各機器に付与されている優先度に基づいて一の電力値を選択し、
電力管理手段が、各電力線で測定された電力値を用いて前記需要地で消費される電力の管理を行い、
電力表示指示手段が、各電力線で測定された電力値を示す情報を予め定めた態様で表示装置に表示させる、エネルギー管理方法。
【請求項９】
コンピュータを、
需要地における複数の電力線のそれぞれにおいて、１又は複数の機器により測定された電力値に関する測定データを各機器から取得し、記憶部に保存する測定電力取得手段、
同一の電力線で測定された複数の電力値がある場合、当該電力線で測定された電力値として、前記複数の電力値から、予め各機器に付与されている優先度に基づいて一の電力値を選択する選択手段、
各電力線で測定された電力値を用いて前記需要地で消費される電力の管理を行う電力管理手段、
各電力線で測定された電力値を示す情報を予め定めた態様で表示装置に表示させる電力表示指示手段、として機能させるためのプログラム。
【発明の詳細な説明】
【技術分野】
【０００１】
本発明は、エネルギー管理コントローラ、エネルギー管理方法及びプログラムに関する。
【背景技術】
【０００２】
特許文献１に開示されるように、一の電力測定装置で複数の電力線における電力値を測定する技術が知られている。
【先行技術文献】
【特許文献】
【０００３】
【特許文献１】特開２０１３−２１０２８８号公報
【発明の概要】
【発明が解決しようとする課題】
【０００４】
ところで、近年、一般家庭において、いわゆるＨＥＭＳ（Home Energy Management System）と称されるエネルギー管理システムの導入が進展している。また、ＨＥＭＳと電気自動車（ＥＶ）用のパワーコンディショニングシステム（ＥＶ−ＰＣＳ）等の他のシステムを連係させて、家庭内のエネルギー管理を行う技術も知られている。【０００５】
例えば、ＥＶ−ＰＣＳにおいては、ＥＶに搭載されている蓄電池の充電及び放電の制御を行うため、宅内における複数の電力線における電力値を測定する必要がある。一方、ＨＥＭＳにおいても電力測定装置により、宅内における複数の電力線における電力値を測定する。このため、同一の電力線において、ＥＶ−ＰＣＳとＨＥＭＳの双方で電力値が測定されることも生じ得る。【０００６】
上記の場合、ＨＥＭＳが備えるコントローラが、より適切な一の電力値を選択し、宅内のエネルギー管理のために使用できれば、正確な電力の使用状況をユーザに提示したり、あるいは、被制御機器に対する的確な動作制御を実現できる等のメリットが期待できる。【０００７】
しかしながら、このような技術に関して、未だ有用な提案がなされていないのが実情である。【０００８】
本発明は、上記実情に鑑みてなされたものであり、同一の電力線で測定された複数の電力値から最適な電力値を選択して電力の管理等を行うことができるエネルギー管理コントローラ等を提供することを目的とする。
【課題を解決するための手段】
【０００９】
上記目的を達成するため、本発明に係るエネルギー管理コントローラは、
需要地における複数の電力線のそれぞれにおいて、１又は複数の機器により測定された電力値に関する測定データを各機器から取得し、記憶部に保存する測定電力取得手段と、
同一の電力線で測定された複数の電力値がある場合、当該電力線で測定された電力値として、前記複数の電力値から、予め各機器に付与されている優先度に基づいて一の電力値を選択する選択手段と、
各電力線で測定された電力値を用いて前記需要地で消費される電力の管理を行う電力管理手段と、
各電力線で測定された電力値を示す情報を予め定めた態様で表示装置に表示させる電力表示指示手段と、を備える。
【発明の効果】
【００１０】
本発明によれば、同一の電力線で測定された複数の電力値から最適な電力値を選択して電力の管理等を行うことができる。
【図面の簡単な説明】
【００１１】
【図１】本発明の実施形態１に係るエネルギー管理システムの全体構成を示す図である。
【図２】測定データについて説明するための図である。
【図３】実施形態１のエネルギー管理コントローラの構成を示すブロック図である。
【図４】優先度テーブルの一例を示す図である。
【図５】実施形態１のエネルギー管理コントローラが備える制御部の機能構成を示す図である。
【図６】実施形態１のエネルギー管理処理の手順を示すフローチャートである。
【図７】本発明の実施形態２において、測定時刻のずれを説明するための図である。
【図８】実施形態２のエネルギー管理コントローラが備える制御部の機能構成を示す図である。
【図９】実施形態２のエネルギー管理処理の手順を示すフローチャートである。
【図１０】他の機器によって電力の測定が行われる例（その１）について説明するための図である。
【図１１】他の機器によって電力の測定が行われる例（その２）について説明するための図である。
【図１２】他の機器によって電力の測定が行われる例（その３）について説明するための図である。
【発明を実施するための形態】
【００１２】
以下、本発明の実施形態について図面を参照して詳細に説明する。
【００１３】
（実施形態１）
図１は、本発明の実施形態１に係るエネルギー管理システム１の全体構成を示す図である。このエネルギー管理システム１は、一般家庭で使用される電力の管理を行う、いわゆる、ＨＥＭＳ（Home Energy Management System）と呼ばれるシステムである。エネルギー管理システム１は、エネルギー管理コントローラ２と、操作端末３と、電力測定装置４と、ＥＶ−ＰＣＳ５と、ＰＶ−ＰＣＳ６と、複数の被制御機器７（被制御機器７ａ，７ｂ，…）と、を備える。
【００１４】
エネルギー管理コントローラ２は、家屋Ｈ内の適切な場所に設置され、この家庭（需要地）において消費される電力の監視を行い、電力の消費状況を操作端末３を介して表示する。また、エネルギー管理コントローラ２は、各被制御機器７の動作制御や動作状態の監視などを行う。エネルギー管理コントローラ２の詳細については後述する。
【００１５】
操作端末３は、タッチパネル、タッチパッド等の入力デバイスと、液晶ディスプレイ等の表示デバイスと、通信インタフェースと、を備える。操作端末３は、エネルギー管理コントローラ２と、Ｗｉ−Ｆｉ（登録商標）等、周知の無線ＬＡＮの規格に則ったデータ通信を行う。操作端末３は、このエネルギー管理システム１と家屋Ｈの居住者であるユーザとの間のインタフェース（ユーザインタフェース）として機能する。
【００１６】
電力測定装置４は、この家庭（需要地）における複数の電力線Ｄ１，Ｄ２，Ｄ３のそれぞれを送電される電力の値を測定する。電力線Ｄ１は、商用電源８とＥＶ−ＰＣＳ５との間に配設され、電力線Ｄ２は、ＥＶ−ＰＣＳ５と分電盤９との間に配設され、電力線Ｄ３は、ＰＶ−ＰＣＳ６とＥＶ−ＰＣＳ５との間に配設されている。
【００１７】
電力測定装置４は、電力線Ｄ１，Ｄ２，Ｄ３にそれぞれ接続されたＣＴ（Current Transformer）１，２，３の各々と通信線を介して接続される。ＣＴ１，２，３は、交流電流を測定するセンサである。電力測定装置４は、ＣＴ１の測定結果に基づいて電力線Ｄ１における電力値を測定する。同様に、電力測定装置４は、ＣＴ２，３の測定結果に基づいて電力線Ｄ２，Ｄ３における電力値を測定する。
【００１８】
また、電力測定装置４は、無線通信インタフェースを備え、家屋Ｈ内に構築された無線ネットワーク（図示せず）を介して、エネルギー管理コントローラ２と通信可能に接続する。この無線ネットワークは、例えば、エコーネットライト（ＥＣＨＯＮＥＴ  Ｌｉｔｅ）に準じたネットワークである。電力測定装置４は、エネルギー管理コントローラ２からの要求に応答して、測定した電力線Ｄ１の電力値を格納した測定データを生成し、エネルギー管理コントローラ２に送信する。この測定データには、電力測定装置４のＩＤ（identification）と、電力線Ｄ１のＩＤ、測定時刻も格納されている。本実施形態では、図２に示すように、電力測定装置４のＩＤが“１０”であり、電力線Ｄ１のＩＤが“０１”であるものとする。
【００１９】
同様に、電力測定装置４は、エネルギー管理コントローラ２からの要求に応答して、電力測定装置４のＩＤと、電力線Ｄ２のＩＤと、測定時刻と、測定した電力線Ｄ２の電力値と、を格納した測定データをエネルギー管理コントローラ２に送信する。同様に、電力測定装置４は、エネルギー管理コントローラ２からの要求に応答して、電力測定装置４のＩＤと、電力線Ｄ３のＩＤと、測定時刻と、測定した電力線Ｄ３の電力値と、を格納した測定データをエネルギー管理コントローラ２に送信する。本実施形態では、電力線Ｄ２のＩＤが“０２”であり、電力線Ｄ３のＩＤが“０３”であるものとする。
【００２０】
ＥＶ−ＰＣＳ５は、ＥＶ（電気自動車）１０用のパワーコンディショニングシステムである。ＥＶ−ＰＣＳ５は、ＥＶ１０に搭載されている蓄電池１１の充電及び放電の制御を行う。ＥＶ−ＰＣＳ５は、商用電源８から供給される電力やＰＶ−ＰＣＳ６から供給される電力により蓄電池１１の充電を行う。また、ＰＶ−ＰＣＳ６は、蓄電池１１から放電された電力をこの家庭における消費用の電力として分電盤９に供給する。あるいは、ＰＶ−ＰＣＳ６は、蓄電池１１から放電された電力を売電用の電力として商用電源８に供給する。
【００２１】
ＥＶ−ＰＣＳ５は、上記の充放電の制御を行うため、この家庭における複数の電力線Ｄ１，Ｄ３，Ｄ４のそれぞれを送電される電力の値を測定する。ＥＶ−ＰＣＳ５は、電力線Ｄ１，Ｄ３，Ｄ４にそれぞれ接続されたＣＴ４，５，６の各々と通信線を介して接続される。ＥＶ−ＰＣＳ５は、ＣＴ４の測定結果に基づいて電力線Ｄ１における電力値を測定する。同様に、ＥＶ−ＰＣＳ５は、ＣＴ５，６の測定結果に基づいて電力線Ｄ３，Ｄ４における電力値を測定する。
【００２２】
また、ＥＶ−ＰＣＳ５は、専用の通信線を介して、エネルギー管理コントローラ２と通信可能に接続する。ＥＶ−ＰＣＳ５は、エネルギー管理コントローラ２からの要求に応答して、測定した電力線Ｄ１の電力値を格納した測定データを生成し、エネルギー管理コントローラ２に送信する。この測定データには、ＥＶ−ＰＣＳ５のＩＤ、電力線Ｄ１のＩＤ、測定時刻も格納されている。本実施形態では、ＥＶ−ＰＣＳ５のＩＤが“１１”であるものとする。
【００２３】
同様に、ＥＶ−ＰＣＳ５は、エネルギー管理コントローラ２からの要求に応答して、ＥＶ−ＰＣＳ５のＩＤと、電力線Ｄ３のＩＤと、測定時刻と、測定した電力線Ｄ３の電力値と、を格納した測定データをエネルギー管理コントローラ２に送信する。同様に、ＥＶ−ＰＣＳ５は、エネルギー管理コントローラ２からの要求に応答して、ＥＶ−ＰＣＳ５のＩＤと、電力線Ｄ４のＩＤと、測定時刻と、測定した電力線Ｄ４の電力値と、を格納した測定データをエネルギー管理コントローラ２に送信する。本実施形態では、電力線Ｄ４のＩＤが“０４”であるものとする。
【００２４】
ＰＶ−ＰＣＳ６は、ＰＶ（太陽光発電）用のパワーコンディショニングシステムである。ＰＶ−ＰＣＳ６は、ＰＶパネル１２が発電した電気をパワーコンディショナにより直流電力から交流電力に変換し、電力線Ｄ３を介してＥＶ−ＰＣＳ５に供給する。ＰＶ−ＰＣＳ６から供給された電力は、ＥＶ−ＰＣＳ５を介して分電盤９に供給されたり（消費）、商用電源８に供給されたり（売電）、蓄電池１１の充電に使用される。
【００２５】
被制御機器７（被制御機器７ａ，７ｂ，…）は、例えば、照明器、エアコン、冷蔵庫、ＩＨ（Induction Heating）クッキングヒータ、炊飯器、電子レンジ、床暖房システム等の家屋Ｈ内に設置される電気機器である。被制御機器７ａ，７ｂ，…は、電力線Ｄ２から分電盤９により分岐された電力線Ｄ５ａ，Ｄ５ｂ，…にそれぞれ接続されている。各被制御機器７は、上述の図示しない無線ネットワークを介して、エネルギー管理コントローラ２と通信可能に接続する。なお、各被制御機器７は、外付けの通信アダプタ（図示せず）を介して、この無線ネットワークに接続される仕様であってもよい。
【００２６】
エネルギー管理コントローラ２は、図３に示すように、電力測定装置４、各被制御機器７と通信するための機器通信部２０と、操作端末３と通信するための端末通信部２１と、プログラムやデータを保持するためのデータ記憶部２２と、これらを制御する制御部２３と、を備える。これらの構成部は、バス２４を介して相互に接続される。
【００２７】
機器通信部２０は、例えば、無線ＬＡＮカード等の通信インタフェースを備え、上述した無線ネットワークに接続し、制御部２３の制御の下、電力測定装置４、各被制御機器７と無線データ通信を行う。
【００２８】
端末通信部２１は、予め定めた近距離無線通信インタフェースを備え、制御部２３の制御の下、操作端末３と、例えば、Ｗｉ−Ｆｉ（登録商標）等、周知の無線ＬＡＮの規格に則ったデータ通信を行う。
【００２９】
データ記憶部２２は、例えば、フラッシュメモリ等の読み書き可能な不揮発性の半導体メモリ等で構成される。データ記憶部２２は、測定データテーブル２２０及び優先度テーブル２２１を記憶する。また、データ記憶部２２は、図示はしないが、この家庭内で消費される電力を監視するためのプログラムや各被制御機器７の動作を制御するためのプログラム、そして、これらのプログラムの実行時に使用されるデータを記憶する。
【００３０】
測定データテーブル２２０は、電力測定装置４及びＥＶ−ＰＣＳ５のそれぞれから送られてきた測定データを格納するデータテーブルである。優先度テーブル２２１は、同一の電力線を測定する複数の機器の優先度が電力線毎に定義されたデータテーブルである。本実施形態では、優先度テーブル２２１は、図４に示すように、電力線Ｄ１，Ｄ３を測定する電力測定装置４、ＥＶ−ＰＣＳ５の優先度が電力線毎に定義されている。優先度は、電力測定装置４及びＥＶ−ＰＣＳ５によって同一の電力線で測定された２つの電力値のうち、当該電力線で測定された電力として何れを選択するかを判断するために予め決定された指標である。
【００３１】
本実施形態では、他に比べて高い優先度が付与されている機器により測定された電力値が、当該電力線で測定された電力値として選択される（採用される）。優先度は、各機器の仕様上の測定精度によって決定される。
【００３２】
なお、優先度は、各機器における測定対象の電力線の数に基づいて決定されてもよい。この場合、最も測定対象の電力線の数が多い機器に対して最も高い優先度が付与される。あるいは、優先度は、各機器における電力測定のサンプリング間隔に基づいて決定されてもよい。この場合、最もサンプリング間隔が短い機器に対して最も高い優先度が付与される。
【００３３】
上記のような優先度の決定及び優先度テーブル２２１へのデータの設定は、例えば、エネルギー管理システム１の設置の際、工事担当者等によって行われる。
【００３４】
制御部２３は、ＣＰＵ（Central Processing Unit）、ＲＯＭ（Read Only Memory）、ＲＡＭ（Random Access Memory）等（何れも図示せず）を含んで構成され、エネルギー管理コントローラ２を統括制御する。図５に示すように、制御部２３は、本発明特有の機能として、ユーザインタフェース処理部２３０と、測定電力取得部２３１と、選択部２３２と、電力管理部２３３と、電力表示指示部２３４と、を備える。これらの構成部の機能は、ＣＰＵ等がデータ記憶部２２に記憶されているプログラムを実行することで実現される。
【００３５】
ユーザインタフェース処理部２３０は、操作端末３を介したユーザインタフェース処理を行う。即ち、ユーザインタフェース処理部２３０は、ユーザからの操作を操作端末３及び端末通信部２１を介して受け付け、受け付けた操作の内容に応じた処理を行う。また、ユーザインタフェース処理部２３０は、ユーザに提示するための情報を端末通信部２１を介して操作端末３に送信し、かかる情報を操作端末３に表示させる処理を行う。
【００３６】
測定電力取得部２３１は、各機器（電力測定装置４、ＥＶ−ＰＣＳ５）から、測定された電力値を取得する処理を行う。具体的には、一定時間間隔（例えば、３０秒間隔）で、電力測定装置４及びＥＶ−ＰＣＳ５のそれぞれに対し、測定データの送信を要求する。測定電力取得部２３１は、かかる各要求に応答して、電力測定装置４及びＥＶ−ＰＣＳ５から送られてきた複数の測定データを機器通信部２０を介して取得する。測定電力取得部２３１は、取得した複数の測定データをデータ記憶部２２に記憶されている測定データテーブル２２０に格納する。
【００３７】
選択部２３２は、測定電力取得部２３１により取得された各測定データを解析し、同一の電力線で測定された複数の電力値があるか否かを判別する。同一の電力線で測定された複数の電力値がある場合、選択部２３２は、優先度テーブル２２１を参照し、使用対象の電力値として、一の電力値を選択する。本実施形態では、電力線Ｄ１と電力線Ｄ３において、複数の機器（電力測定装置４、ＥＶ−ＰＣＳ５）により電力値が測定される。選択部２３２は、優先度テーブル２２１を参照して、電力線Ｄ１及び電力線Ｄ３の何れの場合においても、使用対象として、ＥＶ−ＰＣＳ５により測定された電力値を選択する。選択部２３２は、選択しなかった方の電力値に係る測定データを測定データテーブル２２０から削除する。
【００３８】
電力管理部２３３は、測定データテーブル２２０に格納されている各電力線に対応する測定データに基づいて、各被制御機器７の動作を制御する。例えば、電力線Ｄ１における買電用の電力値が大きく、電力線Ｄ２における消費用の電力値が大きい場合、全てのあるいは特定の被制御機器７の運転能力を低下させる等の節電制御を行う。
【００３９】
電力表示指示部２３４は、測定データテーブル２２０に格納されている各電力線に対応する測定データに基づいて、電力の使用状況（売電も含む）を予め定めた態様で表した画面データを生成する。そして、電力表示指示部２３４は、生成した画面データをユーザインタフェース処理部２３０及び端末通信部２１を介して操作端末３に送信する。
【００４０】
図６は、エネルギー管理コントローラ１の制御部２３によって実行されるエネルギー管理処理の手順を示すフローチャートである。このエネルギー管理処理は、一定時間間隔（例えば、１秒間隔）で繰り返し実行される。
【００４１】
測定電力取得部２３１は、前回の測定データの取得から一定時間（例えば、３０秒）が経過したか否かを判別する（ステップＳ１０１）。経過していない場合（ステップＳ１０１；ＮＯ）、エネルギー管理処理は終了する。一方、前回の測定データの取得から一定時間が経過した場合（ステップＳ１０１；ＹＥＳ）、測定電力取得部２３１は、電力測定装置４に測定データの送信を要求し、これに応答して電力測定装置４から送られてきた測定データを取得する（ステップＳ１０２）。
【００４２】
また、測定電力取得部２３１は、ＥＶ−ＰＣＳ５に測定データの送信を要求し、これに応答してＥＶ−ＰＣＳ５から送られてきた測定データを取得する（ステップＳ１０３）。
【００４３】
選択部２３２は、測定電力取得部２３１により取得された各測定データを解析し、同一の電力線で測定された複数の電力値があるか否かを判別する（ステップＳ１０４）。同一の電力線で測定された複数の電力値がない場合（ステップＳ１０４；ＮＯ）、制御部２３は、ステップＳ１０６の処理を行う。一方、同一の電力線で測定された複数の電力値がある場合（ステップＳ１０４；ＹＥＳ）、選択部２３２は、優先度テーブル２２１を参照し、使用対象の電力値として、一の電力値を選択する（ステップＳ１０５）。この際、選択部２３２は、選択しなかった方の電力値に係る測定データを測定データテーブル２２０から削除する。
【００４４】
電力管理部２３３は、測定データテーブル２２０に格納されている各電力線に対応する測定データに基づいて、各被制御機器７の動作を制御する（ステップＳ１０６）。また、電力表示指示部２３４は、電力の使用状況を表した画面データを生成し、ユーザインタフェース処理部２３０及び端末通信部２１を介して操作端末３に送信することで、操作端末３に電力の使用状況を表示させる（ステップＳ１０７）。
【００４５】
以上説明したように、本発明の実施形態１に係るエネルギー管理システム１では、同一の電力線を測定する機器が複数ある場合に、エネルギー管理コントローラ２は、最も高い優先度が付与された機器により測定された電力値を使用対象の電力値として選択する。したがって、正確な電力の使用状況をユーザに提示することができ、また、各被制御機器７に対する的確な動作制御を実現できる。
【００４６】
（実施形態２）
続いて、本発明の実施形態２について説明する。なお、以下の説明において、実施形態１と共通する構成要素等については、同一の符号を付し、その説明を省略する。
【００４７】
本実施形態では、実施形態１と同様、エネルギー管理コントローラ２は、電力線Ｄ１及び電力線Ｄ３においては、それぞれＥＶ−ＰＣＳ５により測定された電力値を使用対象として選択する。また、電力線Ｄ２においては、電力値を測定する機器が電力測定装置４のみであるため、電力測定装置４により測定された電力値が使用対象の電力値となる。さらに、電力線Ｄ４においては、電力値を測定する機器がＥＶ−ＰＣＳ５のみであるため、ＥＶ−ＰＣＳ５により測定された電力値が使用対象の電力値となる。
【００４８】
電力測定装置４とＥＶ−ＰＣＳ５において、電力測定の間隔、換言すると、電力測定のサンプリング間隔は必ずしも同一とはいえず、仮に同一であったとしても、同期して測定を行うようにするのは困難である。つまり、図７に示すように、電力測定装置４とＥＶ−ＰＣＳ５においては、測定時刻のずれが生じてしまう。
【００４９】
本実施形態のエネルギー管理コントローラ２は、実施形態１のエネルギー管理コントローラ２と同様の機能を有し、さらに、上記のような電力値の測定時刻のずれを補正する機能を有する。
【００５０】
本実施形態のエネルギー管理コントローラ２が備える制御部２３には、図８に示すように、補正部２３５が追加されている。補正部２３５は、測定データテーブル２２０に格納されている各電力線に対応する測定データに基づいて、各電力線で測定された電力値の測定時刻のずれを補正する（図９のステップＳ１０５Ａ）。
【００５１】
例えば、補正部２３５は、測定データテーブル２２０から予め定めた期間（例えば、１０分間）分の測定データを読み出し、読み出した各測定データから電力の立ち上がり時刻を検出する。そして、補正部２３５は、検出した時刻を異なる電力線（例えば、電力線Ｄ１と電力線Ｄ２）における測定データ同士で比較することで測定時刻のずれを補正する。
【００５２】
より詳細には、補正部２３５は、例えば、電力線Ｄ１と電力線Ｄ２における測定データ同士の比較において、双方の立ち上がり時刻のずれが、予め定めた時間以内（例えば、１０秒以内）である場合、測定時刻のずれが生じていると判別する。そして、補正部２３５は、後の方の立ち上がり時刻を早い方の立ち上がり時刻に合わせる（変更する）ことで測定時刻のずれを補正する。
【００５３】
あるいは、補正部２３５は、測定データテーブル２２０から予め定めた期間（例えば、１０分間）分の測定データを読み出し、読み出した電力線毎の複数の測定データに対して、当該期間での平均化処理を施すことで測定時刻のずれを補正してもよい。
【００５４】
以上のように、実施形態２のエネルギー管理システム１では、各電力線で測定された電力値の測定時刻のずれを補正する。これにより、より正確な電力の使用状況をユーザに提示することができ、また、各被制御機器７に対するより的確な動作制御を実現できる。
【００５５】
なお、本発明は、上記各実施形態に限定されず、本発明の要旨を逸脱しない範囲での種々の変更は勿論可能である。
【００５６】
例えば、上記各実施形態では、電力値を測定する機器として、電力測定装置４とＥＶ−ＰＣＳ５を挙げていたが、その他の機器によっても電力値が測定されるようにしてもよい。例えば、図１０に示すように、ＰＶ−ＰＣＳ６が電力線Ｄ３における電力値を測定してもよい。この場合、ＰＶ−ＰＣＳ６は、電力線Ｄ３に接続されたＣＴ７と通信線を介して接続される。ＰＶ−ＰＣＳ６は、ＣＴ７の測定結果に基づいて電力線Ｄ３における電力値を測定する。
【００５７】
また、ＰＶ−ＰＣＳ６は、専用の通信線を介して、エネルギー管理コントローラ２と通信可能に接続する。ＰＶ−ＰＣＳ６は、エネルギー管理コントローラ２からの要求に応答して、測定した電力線Ｄ１の電力値を格納した測定データをエネルギー管理コントローラ２に送信する。
【００５８】
また、図１１に示すように、エネルギー管理システム１の構成に、分電盤９により分岐された電力線Ｄ６に接続される定置型蓄電池１３を追加し、電力線Ｄ６における電力値を電力測定装置４及び定置型蓄電池１３のそれぞれによって測定されるようにしてもよい。
【００５９】
上記の場合、電力測定装置４は、電力線Ｄ６に接続されたＣＴ８と通信線を介して接続し、ＣＴ８の測定結果に基づいて電力線Ｄ６における電力値を測定する。電力測定装置４は、エネルギー管理コントローラ２からの要求に応答して、測定した電力線Ｄ６の電力値を格納した測定データをエネルギー管理コントローラ２に送信する。また、定置型蓄電池１３は、電力線Ｄ６に接続されたＣＴ９と通信線を介して接続し、ＣＴ９の測定結果に基づいて電力線Ｄ６における電力値を測定する。定置型蓄電池１３は、専用の通信線を介して、エネルギー管理コントローラ２と通信可能に接続し、エネルギー管理コントローラ２からの要求に応答して、測定した電力線Ｄ６の電力値を格納した測定データをエネルギー管理コントローラ２に送信する。
【００６０】
また、図１２に示すように、分電盤９により分岐された電力線Ｄ５ａにおける電力値を電力測定装置４及び被制御機器７ａのそれぞれによって測定されるようにしてもよい。この場合、電力測定装置４は、電力線Ｄ５ａに接続されたＣＴ１０と通信線を介して接続し、ＣＴ１０の測定結果に基づいて電力線Ｄ５ａにおける電力値を測定する。電力測定装置４は、エネルギー管理コントローラ２からの要求に応答して、測定した電力線Ｄ５ａの電力値を格納した測定データをエネルギー管理コントローラ２に送信する。
【００６１】
また、被制御機器７ａは、電力線Ｄ５ａに接続されたＣＴ１１と通信線を介して接続し、ＣＴ１１の測定結果に基づいて電力線Ｄ５ａにおける電力値を測定する。被制御機器７ａは、エネルギー管理コントローラ２からの要求に応答して、測定した電力線Ｄ５ａの電力値を格納した測定データをエネルギー管理コントローラ２に送信する。
【００６２】
また、上記各実施形態において、エネルギー管理コントローラ２によって実行されるプログラムは、ＣＤ−ＲＯＭ（Compact Disc Read Only Memory）、ＤＶＤ（Digital Versatile Disc）、ＭＯ（Magneto-Optical Disk）、ＵＳＢメモリ、メモリカード等のコンピュータ読み取り可能な記録媒体に格納して配布することも可能である。そして、かかるプログラムを特定の又は汎用のコンピュータにインストールすることによって、当該コンピュータを上記各実施形態におけるエネルギー管理コントローラ２として機能させることも可能である。
【００６３】
また、上記のプログラムをインターネット等の通信ネットワーク上のサーバ装置が有するディスク装置等に格納しておき、例えば、搬送波に重畳させて、コンピュータにダウンロード等するようにしてもよい。また、通信ネットワークを介してプログラムを転送しながら起動実行することによっても、上述の処理を達成することができる。さらに、プログラムの全部又は一部をサーバ装置上で実行させ、その処理に関する情報をコンピュータが通信ネットワークを介して送受信しながらプログラムを実行することによっても、上述の処理を達成することができる。
【００６４】
なお、上述の機能を、ＯＳ（Operating System）が分担して実現する場合又はＯＳとアプリケーションとの協働により実現する場合等には、ＯＳ以外の部分のみを上記の記録媒体に格納して配布してもよく、また、コンピュータにダウンロード等してもよい。
【００６５】
本発明は、広義の精神と範囲を逸脱することなく、様々な実施形態及び変形が可能である。また、上述した実施形態は、本発明を説明するためのものであり、本発明の範囲を限定するものではない。つまり、本発明の範囲は、実施形態ではなく、請求の範囲によって示される。そして、請求の範囲内及びそれと同等の発明の意義の範囲内で施される様々な変形が、本発明の範囲内とみなされる。
【産業上の利用可能性】
【００６６】
本発明は、家庭内で使用される電力の管理を行うシステム等に好適に採用され得る。
【符号の説明】
【００６７】
１  エネルギー管理システム、２  エネルギー管理コントローラ、３  操作端末、４  電力測定装置、５  ＥＶ−ＰＣＳ、６  ＰＶ−ＰＣＳ、７ａ，７ｂ  被制御機器、８  商用電源、９  分電盤、１０  ＥＶ、１１  蓄電池、１２  ＰＶパネル、１３  定置型蓄電池、２０  機器通信部、２１  端末通信部、２２  データ記憶部、２３  制御部、２４  バス、２２０  測定データテーブル、２２１  優先度テーブル、２３０  ユーザインタフェース処理部、２３１  測定電力取得部、２３２  選択部、２３３  電力管理部、２３４  電力表示指示部、２３５  補正部、Ｄ１〜Ｄ４，Ｄ５ａ，Ｄ５ｂ，Ｄ６  電力線
【図１】
2016016931.tif 000003
【図２】
2016016931.tif 000004
【図３】
2016016931.tif 000005
【図４】
2016016931.tif 000006
【図５】
2016016931.tif 000007
【図６】
2016016931.tif 000008
【図７】
2016016931.tif 000009
【図８】
2016016931.tif 000010
【図９】
2016016931.tif 000011
【図１０】
2016016931.tif 000012
【図１１】
2016016931.tif 000013
【図１２】
2016016931.tif 000014
【手続補正書】
【提出日】平成28年5月19日(2016.5.19)
【手続補正１】
【補正対象書類名】明細書
【補正対象項目名】０００９
【補正方法】変更
【補正の内容】
【０００９】
上記目的を達成するため、本発明に係るエネルギー管理コントローラは、
需要地における一の電力線において、複数の機器により測定された電力値に関する測定データを各機器から取得する取得手段と、
前記複数の電力値から、予め各機器に付与されている優先度に基づいて選択した一の電力値を示す情報を予め定めた態様で表示装置に表示させる表示指示手段と、を備える。
【手続補正２】
【補正対象書類名】特許請求の範囲
【補正対象項目名】全文
【補正方法】変更
【補正の内容】
【特許請求の範囲】
【請求項１】
需要地における一の電力線において、複数の機器により測定された電力値に関する測定データを各機器から取得する取得手段と、
前記複数の電力値から、予め各機器に付与されている優先度に基づいて選択した一の電力値を示す情報を予め定めた態様で表示装置に表示させる表示指示手段と、を備える、エネルギー管理コントローラ。
【請求項２】
前記優先度は、各機器の測定精度に基づいて決定され、最も測定精度が高い機器に対して最も高い優先度が付与されている、請求項１に記載のエネルギー管理コントローラ。
【請求項３】
前記優先度は、各機器が前記需要地において測定対象とする電力線の数に基づいて決定され、最も測定対象の電力線の数が多い機器に対して最も高い優先度が付与されている、請求項１に記載のエネルギー管理コントローラ。
【請求項４】
前記優先度は、各機器における電力測定のサンプリング間隔に基づいて決定され、最も前記サンプリング間隔が短い機器に対して最も高い優先度が付与されている、請求項１に記載のエネルギー管理コントローラ。
【請求項５】
前記取得手段は、前記需要地における複数の電力線において、複数の機器により測定された電力値に関する測定データを各機器から取得し、
前記表示指示手段は、各電力線で測定された電力値を示す情報を予め定めた態様で表示装置に表示させ、
各電力線で測定された電力値の測定時刻のずれを補正する補正手段をさらに備える、請求項１に記載のエネルギー管理コントローラ。
【請求項６】
前記取得手段は、取得した測定データを記憶部に保存し、
前記補正手段は、前記記憶部から予め定めた期間分の測定データを読み出し、読み出した各測定データから電力の立ち上がり時刻を検出し、検出した時刻を異なる電力線における測定データ同士で比較することで前記測定時刻のずれを補正する、請求項５に記載のエネルギー管理コントローラ。
【請求項７】
前記取得手段は、取得した測定データを記憶部に保存し、
前記補正手段は、前記記憶部から予め定めた期間分の測定データを読み出し、読み出した電力線毎の複数の測定データに対して、予め定めた時間間隔での平均化処理を施すことで前記測定時刻のずれを補正する、請求項５に記載のエネルギー管理コントローラ。
【請求項８】
取得手段が、需要地における一の電力線において、複数の機器により測定された電力値に関する測定データを各機器から取得し、
表示指示手段が、前記複数の電力値から、予め各機器に付与されている優先度に基づいて選択した一の電力値を示す情報を予め定めた態様で表示装置に表示させる、エネルギー管理方法。
【請求項９】
コンピュータを、
需要地における一の電力線において、複数の機器により測定された電力値に関する測定データを各機器から取得する取得手段、
前記複数の電力値から、予め各機器に付与されている優先度に基づいて選択した一の電力値を示す情報を予め定めた態様で表示装置に表示させる表示指示手段、として機能させるためのプログラム。
【国際調査報告】
2016016931.tif 000015
2016016931.tif 000016